(57)【特許請求の範囲】
【請求項１】
中綴じ冊子として構成されている複数枚の原稿を読み取って画像を生成する画像読取装置、及び前記生成された画像に基づき、前記中綴じ冊子におけるページ順に対応した画像を生成する画像処理装置がネットワークを介して接続されてなる画像処理システムであって、
前記画像処理装置は、
前記画像読取装置で生成された原稿画像、前記画像読取装置における前記複数枚の原稿の読取態様に関する情報、前記複数枚の原稿におけるページ毎の原稿幅の違いを示す原稿幅情報を取得する情報取得部と、
前記取得された原稿画像を、前記中綴じ冊子におけるページ毎の画像に分割する画像分割部と、
取得された前記複数枚の原稿の読取態様に関する情報に基づき、前記中綴じ冊子におけるページ順に前記分割された画像を並べ替えるページ並べ替え部とを含み、
前記画像分割部は、取得された前記原稿幅情報に基づき、前記生成された画像を分割する位置を決定することを特徴とする画像処理システム。
【請求項２】
前記情報取得部は、前記画像読取装置においてユーザによって入力された前記原稿幅情報を取得することを特徴とする請求項１に記載の画像処理システム。
【請求項３】
前記情報取得部は、前記生成された画像に基づいて複数枚の原稿におけるページ毎の原稿幅の違いを認識することにより前記原稿幅情報を取得することを特徴とする請求項１に記載の画像処理システム。
【請求項４】
前記情報取得部は、前記複数枚の原稿によって構成される中綴じ冊子の厚さの情報を取得し、その厚さの情報に基づいて前記複数枚の原稿におけるページ毎の原稿幅の違いを算出することにより前記原稿幅情報を取得することを特徴とする請求項１に記載の画像処理システム。
【請求項５】
前記情報取得部は、前記複数枚の原稿のうち先頭の原稿の原稿幅と後尾の原稿の原稿幅との違いを示す原稿幅情報を取得し、
前記画像分割部は、前記取得された原稿幅情報が示す原稿幅を、前記複数枚の原稿の先頭から後尾のページ数に応じた割合で変換し、その変換結果に基づいて前記生成された画像を分割する位置を決定することを特徴とする請求項１乃至４いずれか１項に記載の画像処理システム。
【請求項６】
前記画像分割部は、前記取得された原稿幅情報に基づいて前記生成された画像から余分な領域を削除し、余分な領域が削除された状態の画像を半分に分割することによって、前記中綴じ冊子におけるページ毎の画像に分割することを特徴とする請求項１乃至５いずれか１項に記載の画像処理装置。
【請求項７】
前記画像分割部は、前記取得された原稿幅情報に基づいて前記生成された画像の幅方向の中間地点を修正し、修正した状態の画像を半分に分割することによって、前記中綴じ冊子におけるページ毎の画像に分割することを特徴とする請求項１乃至５いずれか１項に記載の画像処理装置。
【請求項８】
前記画像分割部は、前記取得された原稿幅情報が示す前記原稿幅の違いの半分に相当する幅の画像を前記生成された画像の片側から切り取り、切り取った画像を切り取った側とは反対側に付加することによって、前記生成された画像の幅方向の中間地点を修正することを特徴とする請求項７に記載の画像処理装置。
【請求項９】
前記読取態様に関する情報は、前記中綴じ冊子の綴じ方向、前記複数枚の原稿の読み取り順序、前記複数枚の原稿の枚数の情報を含むことを特徴とする請求項１乃至８いずれか１項に記載の画像処理装置。
【請求項１０】
前記複数枚の原稿の読み取り順序の情報は、前記画像読取装置が前記複数枚の原稿を読み取る際の先頭ページが前記中綴じ冊子における表紙側かセンターページ側かを示す情報及び両面読取か片面読取かを示す情報を含むことを特徴とする請求項９に記載の画像処理装置。
【請求項１１】
中綴じ冊子として構成されている複数枚の原稿を読み取って画像を生成する画像読取装置、及び前記生成された画像に基づき、前記中綴じ冊子におけるページ順に対応した画像を生成する画像処理装置がネットワークを介して接続されてなる画像処理システムで用いられる画像処理装置であって、
前記画像読取装置で生成された原稿画像、前記画像読取装置における前記複数枚の原稿の読取態様に関する情報、及び前記複数枚の原稿におけるページ毎の原稿幅の違いを示す原稿幅情報を取得する情報取得部と、
前記取得された前記原稿画像を、前記中綴じ冊子におけるページ毎の画像に分割する画像分割部と、
取得された前記複数枚の原稿の読取態様に関する情報に基づき、前記中綴じ冊子におけるページ順に前記分割された画像を並べ替えるページ並べ替え部とを含み、
前記画像分割部は、取得された前記原稿幅情報に基づき、前記生成された画像を分割する位置を決定することを特徴とする画像処理装置。
【請求項１２】
中綴じ冊子として構成されている複数枚の原稿を読み取って画像を生成する画像読取装置、及び前記生成された画像に基づき、前記中綴じ冊子におけるページ順に対応した画像を生成する画像処理装置がネットワークを介して接続されてなる画像処理システムで用いられる画像処理装置に、
前記画像読取装置で生成された原稿画像、前記画像読取装置における前記複数枚の原稿の読取態様に関する情報、及び前記複数枚の原稿におけるページ毎の原稿幅の違いを示す原稿幅情報を取得する情報取得手順と、
前記取得された原稿画像を、前記中綴じ冊子におけるページ毎の画像に分割する画像分割手順と、
取得された前記複数枚の原稿の読取態様に関する情報に基づき、前記中綴じ冊子におけるページ順に前記分割された画像を並べ替えるページ並べ替え手順とを実行させ、
前記画像分割手順で、
取得された前記原稿幅情報に基づき、前記生成された原稿画像を分割する位置を決定させることを特徴とする画像処理プログラム。
【請求項１３】
中綴じ冊子として構成されている複数枚の原稿を読み取って画像を生成する画像読取装置、及び前記生成された画像に基づき、前記中綴じ冊子におけるページ順に対応した画像を生成する画像処理装置がネットワークを介して接続されてなる画像処理システムで用いられる画像処理装置で実行される画像処理方法であって、
前記画像読取装置で生成された原稿画像、前記画像読取装置における前記複数枚の原稿の読取態様に関する情報、及び前記複数枚の原稿におけるページ毎の原稿幅の違いを示す原稿幅情報を前記画像読取装置から取得する情報取得手順と、
前記取得された原稿画像を、前記中綴じ冊子におけるページ毎の画像に分割する画像分割手順と、
前記取得された前記複数枚の原稿の読取態様に関する情報に基づき、前記分割された後の原稿画像を前記中綴じ冊子におけるページ順に並べ替えるページ並べ替え手順とを含み、
前記画像分割手順は、前記取得された原稿幅情報に基づき、前記生成された原稿画像を分割する位置を決定することを特徴とする画像処理方法。
【発明の詳細な説明】
【技術分野】
【０００１】
本発明は、画像処理システム、画像処理装置、画像処理プログラム及び画像処理方法に関し、特に、中綴じ冊子の原稿の読み取りに関する。
【背景技術】
【０００２】
近年、情報の電子化が推進される傾向にあり、電子化された情報の出力に用いられるプリンタやファクシミリ及び書類の電子化に用いるスキャナ等の画像処理装置は欠かせない機器となっている。このような画像処理装置は、撮像機能、画像形成機能及び通信機能等を備えることにより、プリンタ、ファクシミリ、スキャナ、複写機として利用可能なＭＦＰ（ＭｕｌｔｉＦｕｎｃｔｉｏｎ  Ｐｅｒｉｐｈｅｒａｌ：複合機）として構成されることが多い。
【０００３】
このような画像処理装置のうち、書類の電子化に用いるスキャナの機能を用いて、面付けされた書物や冊子を電子化する技術が知られている（例えば、特許文献１参照）。特許文献１に開示された発明においては、ブックレット形式の冊子のスキャンにおいて、中綴じのホチキス芯や紐を外した状態でスキャンを行い、スキャンによって生成された画像を分割してソートすることにより、元の冊子におけるページ順に画像を並べ替える。
【発明の概要】
【発明が解決しようとする課題】
【０００４】
雑誌等の中綴じ形式の冊子の場合、綴じた状態においてページの端部が揃うように、表紙／裏表紙ページからセンターページに近付くに従って、紙の幅が狭くなる。従って、特許文献１に係る技術において画像を分割する際、全ページについて画像の端部から決まった幅で画像を分割すると、ページの途中で画像が分割される等、元のページが正確に再現されない可能性がある。
【０００５】
本発明は、上記課題を解決するためになされたものであり、中綴じ形式の冊子を解体してスキャンすることにより電子化する場合において、ページ毎にページ幅が異なる場合であっても、各ページのセンターラインにおける分割を好適に行うことを目的とする。
【課題を解決するための手段】
【０００６】
上記課題を解決するために、本発明の一態様は、中綴じ冊子として構成されている複数枚の原稿を読み取って画像を生成する画像読取装置、及び前記生成された画像に基づき、前記中綴じ冊子におけるページ順に対応した画像を生成する画像処理装置がネットワークを介して接続されてなる画像処理システムであって、前記画像処理装置は、前記画像読取装置で生成された原稿画像、前記画像読取装置における前記複数枚の原稿の読取態様に関する情報、前記複数枚の原稿におけるページ毎の原稿幅の違いを示す原稿幅情報を取得する情報取得部と、前記取得された原稿画像を、前記中綴じ冊子におけるページ毎の画像に分割する画像分割部と、取得された前記複数枚の原稿の読取態様に関する情報に基づき、前記中綴じ冊子におけるページ順に前記分割された画像を並べ替えるページ並べ替え部とを含み、前記画像分割部は、取得された前記原稿幅情報に基づき、前記生成された画像を分割する位置を決定することを特徴とする。
【発明の効果】
【００１９】
本発明によれば、中綴じ形式の冊子を解体してスキャンすることにより電子化する場合において、ページ毎にページ幅が異なる場合であっても、各ページのセンターラインにおける分割を好適に行うことができる。
【図面の簡単な説明】
【００２０】
【図１】本発明の実施形態に係る画像処理システムの運用形態を示す図である。
【図２】本発明の実施形態に係る画像形成装置のハードウェア構成を模式的に示すブロック図である。
【図３】本発明の実施形態に係る画像形成装置の機能構成を示すブロック図である。
【図４】本発明の実施形態に係る画像処理サーバの機能構成を示すブロック図である。
【図５】本発明の実施形態に係る中綴じ原稿の態様を示す図である。
【図６】本発明の実施形態に係る中綴じ原稿をスキャンすることにより得られる画像の例を示す図である。
【図７】本発明の実施形態に係る中綴じ原稿処理の概念を示す図である。
【図８】本発明の実施形態に係る中綴じ原稿処理の概念を示す図である。
【図９】本発明の実施形態に係る画像処理システムの動作を示すシーケンス図である。
【図１０】本発明の実施形態に係るディスプレイパネルの表示例を示す図である。
【図１１】本発明の実施形態に係る中綴じ原稿のページ幅の違いを示す図である。
【図１２】本発明の実施形態に係る中綴じ原稿のページ幅の違いを示す図である。
【図１３】本発明の実施形態に係る中綴じ原稿のページ幅の違いを示す図である。
【図１４】本発明の実施形態に係る用紙幅の検知範囲の例を示す図である。
【図１５】本発明の実施形態に係る中綴じ原稿処理の概念を示す図である。
【図１６】本発明の実施形態に係る中綴じ原稿処理の概念を示す図である。
【図１７】本発明の実施形態に係るディスプレイパネルの表示例を示す図である。
【図１８】本発明の実施形態に係る折りこみページの例を示す図である。
【図１９】本発明の実施形態に係るディスプレイパネルの表示例を示す図である。
【発明を実施するための形態】
【００２１】
以下、図面を参照して、本発明の実施形態を詳細に説明する。本実施形態においては、画像処理システムの例として、ネットワークに接続されたスキャナによって読み取られた画像を、同じくネットワークに接続されたサーバにおいて処理する画像処理システムを例として説明する。
【００２２】
図１は、本実施の形態に係る画像処理システムの運用形態の例を示す図である。図１に示すように、本実施形態に係る画像処理システムは、画像形成装置１及びクライアント端末２が接続されたネットワークＡと、画像処理サーバ３及びデータサーバ４が接続されたネットワークＢとが、インターネットや電話回線等の公衆回線５を介して接続されている。本実施形態において、ネットワークＡは、画像処理システムを利用するサービス利用者のネットワークであり、ネットワークＢは、画像処理システムを提供するサービス提供者のネットワークである。ネットワークＡ及びネットワークＢは、ルータ等のネットワーク機器を介して公衆回線５に接続されている。
【００２３】
画像形成装置１は、撮像機能、画像形成機能及び通信機能等を備えることにより、プリンタ、ファクシミリ、スキャナ、複写機として利用可能な複合機である。また、画像形成装置１は、予め登録されたワークフローの実行を命令するためのユーザインタフェースとしても機能する。クライアント端末２は、ユーザが操作する情報処理端末であり、ＰＣ（Ｐｅｒｓｏｎａｌ  Ｃｏｍｐｕｔｅｒ）等の情報処理装置によって実現される。画像処理サーバ３は、画像形成装置１において入力されたワークフローの実行命令に基づき、同じくスキャンによって入力された画像に対して画像処理を実行する。即ち、画像処理サーバ３が、画像処理装置として機能する。画像処理サーバ３によって実現される画像処理が、本実施形態に係る要旨の１つである。
【００２４】
データサーバ４は、画像処理サーバ３によって処理された画像情報が格納されるデータサーバである。尚、図１においては、画像処理サーバ３が１つの装置によって構成されているが、複数の装置で画像処理サーバ３の機能を実現してもよい。例えば、上述したワークフロー全体を制御する機能と、ワークフローに含まれる夫々の処理を実行する機能とを別々のサーバで実現することができる。
【００２５】
次に、本実施形態に係る画像形成装置１、クライアント端末２、画像処理サーバ３及びデータサーバ４のハードウェア構成について説明する。図２は、本実施形態に係る画像形成装置１のハードウェア構成を示すブロック図である。尚、画像形成装置１は、図２に示すハードウェア構成に加えて、スキャナ、プリンタ等を実現するためのエンジンを備える。以下の説明においては、画像形成装置１のハードウェア構成を例として説明するが、クライアント端末２、画像処理サーバ３及びデータサーバ４についても同様である。
【００２６】
図２に示すように、本実施形態に係る画像形成装置１は、一般的なサーバやＰＣ等と同様の構成を含む。即ち、本実施形態に係る画像形成装置１は、ＣＰＵ（Ｃｅｎｔｒａｌ  Ｐｒｏｃｅｓｓｉｎｇ  Ｕｎｉｔ）１０、ＲＡＭ（Ｒａｎｄｏｍ  Ａｃｃｅｓｓ  Ｍｅｍｏｒｙ）２０、ＲＯＭ（Ｒｅａｄ  Ｏｎｌｙ  Ｍｅｍｏｒｙ）３０、ＨＤＤ（Ｈａｒｄ  Ｄｉｓｋ  Ｄｒｉｖｅ）４０及びＩ／Ｆ５０がバス８０を介して接続されている。また、Ｉ／Ｆ５０にはＬＣＤ（Ｌｉｑｕｉｄ  Ｃｒｙｓｔａｌ  Ｄｉｓｐｌａｙ）６０及び操作部７０が接続されている。
【００２７】
ＣＰＵ１０は演算手段であり、画像形成装置１全体の動作を制御する。ＲＡＭ２０は、情報の高速な読み書きが可能な揮発性の記憶媒体であり、ＣＰＵ１０が情報を処理する際の作業領域として用いられる。ＲＯＭ３０は、読み出し専用の不揮発性記憶媒体であり、ファームウェア等のプログラムが格納されている。ＨＤＤ４０は、情報の読み書きが可能な不揮発性の記憶媒体であり、ＯＳ（Ｏｐｅｒａｔｉｎｇ  Ｓｙｓｔｅｍ）や各種の制御プログラム、アプリケーション・プログラム等が格納される。
【００２８】
Ｉ／Ｆ５０は、バス８０と各種のハードウェアやネットワーク等を接続し制御する。ＬＣＤ６０は、ユーザが画像形成装置１の状態を確認するための視覚的ユーザインタフェースである。操作部７０は、キーボードやマウス等、ユーザが画像形成装置１に情報を入力するためのユーザインタフェースである。尚、図１において説明したように、本実施形態に係る画像処理サーバ３、データサーバ４は、サーバとして運用される。従って、ＬＣＤ６０及び操作部７０等のユーザインタフェースは省略可能である。
【００２９】
このようなハードウェア構成において、ＲＯＭ３０やＨＤＤ４０若しくは図示しない光学ディスク等の記憶媒体に格納されたプログラムがＲＡＭ２０に読み出され、ＣＰＵ１０の制御に従って動作することにより、ソフトウェア制御部が構成される。このようにして構成されたソフトウェア制御部と、ハードウェアとの組み合わせによって、本実施形態に係る画像形成装置１や画像処理サーバ３の機能を実現する機能ブロックが構成される。
【００３０】
次に、本実施形態に係る画像形成装置１の機能構成について、図３を参照して説明する。図３は、本実施形態に係る画像形成装置１の機能構成を示すブロック図である。図３に示すように、本実施形態に係る画像形成装置１は、コントローラ１００、ＡＤＦ（Ａｕｔｏ  Ｄｏｃｕｍｅｎｎｔ  Ｆｅｅｄｅｒ：原稿自動搬送装置）１０１、スキャナユニット１０２、排紙トレイ１０３、ディスプレイパネル１０４、給紙テーブル１０５、プリントエンジン１０６、排紙トレイ１０７及びネットワークＩ／Ｆ１０８を有する。
【００３１】
また、コントローラ１００は、主制御部１１０、エンジン制御部１２０、画像処理部１３０、操作表示制御部１４０及び入出力制御部１５０を含む。図３に示すように、本実施形態に係る画像形成装置１は、スキャナユニット１０２、プリントエンジン１０６を有する複合機として構成されている。尚、図３においては、電気的接続を実線の矢印で示しており、用紙若しくは文書束の流れを破線の矢印で示している。
【００３２】
ディスプレイパネル１０４は、画像形成装置１の状態を視覚的に表示する出力インタフェースであると共に、タッチパネルとしてユーザが画像形成装置１を直接操作し、若しくは画像形成装置１に対して情報を入力する際の入力インタフェース（操作部）でもある。ディスプレイパネル１０４は、図２に示すＬＣＤ６０及び操作部７０によって実現される。
【００３３】
ネットワークＩ／Ｆ１０８は、画像形成装置１がネットワークを介してクライアント端末２や画像処理サーバ３等の他の機器と通信するためのインタフェースであり、Ｅｔｈｅｒｎｅｔ（登録商標）やＵＳＢ（Ｕｎｉｖｅｒｓａｌ  Ｓｅｒｉａｌ  Ｂｕｓ）インタフェースが用いられる。ネットワークＩ／Ｆ１０８は、図２に示すＩ／Ｆ５０によって実現される。また、ネットワークＩ／Ｆ１０８には、ＦＡＸモデムとしての機能も含まれ、画像形成装置１がネットワークを介してＦＡＸ送受信を行うためのインタフェースとしても機能する。
【００３４】
コントローラ１００は、ソフトウェアとハードウェアとの組み合わせによって構成される。具体的には、ＲＯＭ３０や不揮発性メモリ並びにＨＤＤ４０や光学ディスク等の不揮発性記憶媒体に格納されたプログラムが、ＲＡＭ２０等の揮発性メモリ（以下、メモリ）にロードされ、ＣＰＵ１０の制御に従って動作することにより構成されるソフトウェア制御部と集積回路などのハードウェアとによってコントローラ１００が構成される。コントローラ１００は、画像形成装置１全体を制御する制御部として機能する。
【００３５】
主制御部１１０は、コントローラ１００に含まれる各部を制御する役割を担い、コントローラ１００の各部に命令を与える。エンジン制御部１２０は、プリントエンジン１０６やスキャナユニット１０２等を制御若しくは駆動する駆動手段としての役割を担う。画像処理部１３０は、主制御部１１０の制御に従い、印刷出力すべき画像情報に基づいて描画情報を生成する。この描画情報とは、画像形成部であるプリントエンジン１０６が画像形成動作において形成すべき画像を描画するための情報である。また、画像処理部１３０は、スキャナユニット１０２から入力される撮像データを処理し、画像データを生成する。この画像データとは、スキャナ動作の結果物として画像形成装置１の記憶領域に格納され若しくはネットワークＩ／Ｆ１０８を介してクライアント端末２や画像処理サーバ３に送信される情報である。
【００３６】
操作表示制御部１４０は、ディスプレイパネル１０４に情報表示を行い若しくはディスプレイパネル１０４を介して入力された情報を主制御部１１０に通知する。入出力制御部１５０は、ネットワークＩ／Ｆ１０８を介して入力される情報を主制御部１１０に入力する。また、主制御部１１０は、入出力制御部１５０を制御し、ネットワークＩ／Ｆ１０８及びネットワークを介してクライアント端末２や画像処理サーバ３等にアクセスする。
【００３７】
画像形成装置１がプリンタとして動作する場合は、まず、入出力制御部１５０がネットワークＩ／Ｆ１０８を介して印刷ジョブを受信する。入出力制御部１５０は、受信した印刷ジョブを主制御部１１０に転送する。主制御部１１０は、印刷ジョブを受信すると、画像処理部１３０を制御して印刷ジョブに含まれる文書情報若しくは画像情報に基づいて描画情報を生成する。
【００３８】
画像処理部１３０によって描画情報が生成されると、エンジン制御部１２０は、プリントエンジン１０６を制御し、上記生成された描画情報に基づき、給紙テーブル１０５から搬送される用紙に対して画像形成を実行させる。プリントエンジン１０６の具体的態様としては、インクジェット方式による画像形成機構や電子写真方式による画像形成機構等を用いることが可能である。プリントエンジン１０６によって画像形成が施された文書は排紙トレイ１０７に排紙される。
【００３９】
画像形成装置１がスキャナとして動作する場合は、ユーザによるディスプレイパネル１０４の操作若しくはネットワークＩ／Ｆ１０８を介して外部のクライアント端末２等から入力されるスキャン実行指示に応じて、操作表示制御部１４０若しくは入出力制御部１５０が主制御部１１０にスキャン実行信号を転送する。主制御部１１０は、受信したスキャン実行信号に基づき、エンジン制御部１２０を制御する。
【００４０】
エンジン制御部１２０は、ＡＤＦ１０１を駆動し、ＡＤＦ１０１にセットされた撮像対象原稿をスキャナユニット１０２に搬送する。また、エンジン制御部１２０は、スキャナユニット１０２を駆動し、ＡＤＦ１０１から搬送される原稿を撮像する。また、ＡＤＦ１０１に原稿がセットされておらず、スキャナユニット１０２に直接原稿がセットされた場合、スキャナユニット１０２は、エンジン制御部１２０の制御に従い、セットされた原稿を撮像する。即ち、スキャナユニット１０２が撮像部として動作する。
【００４１】
撮像動作においては、スキャナユニット１０２に含まれるＣＣＤ等の撮像素子が原稿を光学的に走査し、光学情報に基づいて生成された撮像情報が生成される。エンジン制御部１２０は、スキャナユニット１０２が生成した撮像情報を画像処理部１３０に転送する。画像処理部１３０は、主制御部１１０の制御に従い、エンジン制御部１２０から受信した撮像情報に基づき画像情報を生成する。画像処理部１３０が生成した画像情報はＨＤＤ４０等の画像形成装置１に装着された記憶媒体に保存される。即ち、スキャナユニット１０２、エンジン制御部１２０及び画像処理部１３０が連動して、画像入力部として機能する。
【００４２】
画像処理部１３０によって生成された画像情報は、ユーザの指示に応じてそのままＨＤＤ４０等に格納され若しくは入出力制御部１５０及びネットワークＩ／Ｆ１０８を介して画像処理サーバ３等の外部の装置に送信される。
【００４３】
また、画像形成装置１が複写機として動作する場合は、エンジン制御部１２０がスキャナユニット１０２から受信した撮像情報若しくは画像処理部１３０が生成した画像情報に基づき、画像処理部１３０が描画情報を生成する。その描画情報に基づいてプリンタ動作の場合と同様に、エンジン制御部１２０がプリントエンジン１０６を駆動する。尚、描画情報と撮像情報との情報形式が同一である場合は、撮像情報をそのまま描画情報として用いることも可能である。
【００４４】
また、画像形成装置１がファクシミリとして動作する場合は、まず、スキャナ動作の場合と同様に画像処理部１３０によって画像情報が生成される。そして、主制御部１１０が入出力制御部１５０を制御し、ＦＡＸ送信を実行させる。ＦＡＸ送信に際しては、入出力制御部１５０が、主制御部１１０の制御に従い、ネットワークＩ／Ｆ１０８のうちＦＡＸモデムの機能を駆動して指定された送信先に画像を送信する。
【００４５】
また、画像形成装置１が、予め構築されているワークフローを実行する場合は、まず、ユーザがディスプレイパネル１０４を操作してワークフローの実行指示を入力する。この際、ディスプレイパネル１０４には、ワークフローを選択するための画面（以降、ワークフロー選択画面とする）として、登録されているワークフローの情報が表示される。このワークフロー選択画面を表示するための情報（以降、フロー情報とする）は、画像形成装置１においてＨＤＤ４０に格納されている。
【００４６】
フロー情報は、夫々のワークフロー毎に、ワークフローに含まれる処理の内容が設定された情報である。本実施形態の要旨である中綴じ原稿のスキャン及びページ入れ替え処理は、このワークフローの１つとして実現される。尚、フロー情報としては、夫々のワークフローに含まれる処理の設定値の情報も含まれる。主制御部１１０は、操作表示制御部１４０を介してワークフローの実行指示を取得し、その実行指示に基づいて上述したようにスキャンを行うことにより、中綴じ原稿の画像を取得する。
【００４７】
主制御部１１０は、中綴じ原稿の画像を取得すると、入出力制御部１５０を制御して、ワークフローとしての中綴じ原稿のページ入れ替え処理の実行指示及びスキャンにより生成された中綴じ原稿の画像の情報を画像処理サーバ３に送信させる。これにより、画像処理サーバ３において、ページ入れ替え処理が実行される。
【００４８】
次に、本実施形態に係る画像処理サーバ３の機能構成について、図４を参照して説明する。図４は、本実施形態に係る画像処理サーバ４の機能構成を示すブロック図である。図４に示すように、本実施形態に係る画像処理サーバ３は、中綴じ処理部３００、ネットワークＩ／Ｆ３１０を含む。また中綴じ処理部３００は、情報取得部３０１、画像分割処理部３０２、ページ順判定部３０３及び画像合成部３０４を含む。尚、図４においては、画像処理サーバ３に含まれる機能のうち、本実施形態の要旨である中綴じ原稿のページ入れ替え処理に関する部分のみが示されている。
【００４９】
ネットワークＩ／Ｆ３１０は、画像形成装置１のネットワークＩ／Ｆ１０８と同様に、画像処理サーバ３がネットワークを介して画像形成装置１やクライアント端末２等の他の機器と通信するためのインタフェースである。中綴じ処理部３００は、画像処理サーバ３において、中綴じ原稿のページ入れ替えに関する処理を実行する。
【００５０】
情報取得部３０１は、中綴じ処理部３００において、ネットワークＩ／Ｆ３１０を介して取得された中綴じ処理の実行命令や、中綴じ処理のパラメータ設定値及び処理対象である中綴じ原稿の画像情報等を取得する。即ち、情報取得部３０１が、画像取得部、読み取り態様情報取得部として機能する。情報取得部３０１は、取得した画像情報を一時的に保持する。画像分割処理部３０２は、情報取得部３０１が取得した中綴じ原稿の画像情報を、夫々のページ毎に分割する画像分割部である。画像分割処理部３０２による画像情報の分割処理が、本実施形態に係る要旨の１つである。
【００５１】
ページ順判定部３０３は、情報取得部３０１が取得した情報に基づき、処理対象として取得された中綴じ原稿の画像におけるページの並び順を判定する。画像合成部３０４は、画像分割処理部３０２によって各ページに分割された画像を、ページ順判定部３０３によって判定されたページ順に従って並べ替え、見開きのページを１つの画像に合成する。即ち、ページ順判定部３０３及び画像合成部３０４が、連動してページ並べ替え部として機能する。
【００５２】
次に、本実施形態に係る画像管理システムによって処理される中綴じ原稿のページ入れ替え処理の原理について説明する。図５（ａ）は、本実施形態に係る中綴じ原稿の種類を示す図である。雑誌やブックレット等、束にした原稿を真中で折り、その折り線の部分をホチキスや糸等により固定して束ねることによって製本された冊子がある。このような中綴じの冊子は、図５（ａ）に示すような左綴じ、右綴じ及び上綴じの種類がある。
【００５３】
このような中綴じの冊子は、その折り線の部分を止めているホチキスの金具や糸を外すと、図５（ｂ）に示すように、１ページの左右若しくは上下にページの内容が示された原稿の束になる。しかしながら、中綴じの冊子の状態において各ページの順番及び見開きのページが順序良く並ぶようにページの割り付けがされているため、図５（ｂ）に示す原稿の束をそのまま自動ソート等によりスキャンしても、元の中綴じ状態の冊子のページを再現することが出来ない。このような中綴じ原稿のスキャンが、本実施形態の要旨の１つである。
【００５４】
図６（ａ）は、図５（ａ）、（ｂ）において、“左綴じ”として示す中綴じの冊子を図５（ｂ）に示す状態でそのまま両面スキャンした場合に生成される画像を示す図である。また、図６（ｂ）は、図５（ａ）、（ｂ）において、“右綴じ”として示す中綴じの冊子を図５（ｂ）に示す状態でそのまま両面スキャンした場合に生成される画像を示す図である。図６（ａ）、（ｂ）においては、表表紙、裏表紙も含めて３枚で構成された中綴じ冊子において、冊子のセンターページ側を先頭としてスキャンを開始した場合を例としている。図６（ａ）、（ｂ）に示すように、スキャンによって生成される画像は、左右バラバラに元のページが表示された画像である。
【００５５】
図７（ａ）、（ｂ）及び図８は、本実施形態における中綴じ原稿処理の概念を示す図であり、図７（ａ）は図５（ａ）、（ｂ）に示す“左綴じ”の場合を、図７（ｂ）は図５（ａ）、（ｂ）に示す“右綴じ”の場合を示している。また、図８は、図５（ａ）、（ｂ）に示す“上綴じ”の場合を示している。図７（ａ）、（ｂ）及び図８に示すように、本実施形態に係る中綴じ原稿処理においては、まず、中綴じ冊子を綴じているホチキス金具や糸を外してスキャンすることにより、１つの画像の左右若しくは上下に不規則にページが表示された画像を得る。
【００５６】
そのように得られた画像を左右若しくは上下に分割することにより、夫々のページ毎の画像を生成する。そして、元の原稿をスキャンする際に得られた情報に基づき、ページ毎の画像を並び替えることにより、元の中綴じ冊子のページが順序どおりに再現された画像を得る。このような処理が、本実施形態に係る中綴じ原稿処理の概念である。
【００５７】
次に、本実施形態に係る画像処理システムの動作について説明する。図９は、本実施形態に係る画像処理システムにおける中綴じ原稿スキャンの動作を示すシーケンス図である。図９に示すように、ユーザが中綴じ原稿のスキャンを開始するために画像形成装置１を操作すると、まずは、画像形成装置１がユーザの操作に応じて、中綴じ原稿スキャンのための条件を指定する画面（以降、条件指定画面とする）を表示する（Ｓ９０１）。Ｓ９０１において画像形成装置１のディスプレイパネル１０４に表示される画面の例を図１０に示す。
【００５８】
図１０に示すように、本実施形態に係る条件指定画面は、各種の条件を指定する条件指定部１４１、中綴じ原稿のスキャン方向をユーザに指示するスキャン方向指示部１４２及びスキャン開始指示部１４３を含む。条件指定部１４１は、図１０に示すように、中綴じ原稿の“綴じ方向”、“読取開始位置”、“全ページ数”、“余分領域幅”及び“両面スキャン／片面スキャン”をユーザが指定するためのインタフェースである。
【００５９】
“綴じ方向”において、ユーザは、スキャン対象である中綴じ原稿が、図５（ａ）において説明した様々な綴じ方向のいずれの方向において綴じられたものであるかを指定する。“読取開始位置”において、ユーザは、スキャン対象である中綴じ原稿を、表紙及び裏表紙側とセンターページ側とのいずれの側からスキャンを開始するかを指定する。
【００６０】
“全ページ数”において、ユーザは、スキャン対象である中綴じ原稿の元の状態、即ち、綴じられた状態におけるページ数を指定する。尚、この他、図５（ｂ）に示すように、分離された状態における原稿の枚数を指定しても良い。“両面スキャン／片面スキャン”において、ユーザは、自動的に反転処理を行う“両面スキャン”か、原稿束について片面のみをスキャンした後、手動で原稿をセットし直して裏側から再度スキャンを行う“片面スキャン”のいずれかを指定する。
【００６１】
“余分領域幅”は、画像処理サーバ３が、図７（ａ）、（ｂ）及び図８に示すような画像の分割処理を行う際に参照する値である。詳細は後述する。スキャン方向指示部１４２においては、上記“綴じ方向”及び“読取開始位置”において指定された条件に応じた画像が表示され、ユーザに対して原稿のセット方向を指示する。図１０の例においては、“右綴じ”及び“センターページ”が指定されており、センターページを上面として原稿をセットするよう指示するための画像が表示されている。このような表示により、ユーザによる原稿のセット方向のミスを防ぐことができる。
【００６２】
ユーザがスキャン開始指示部１４３をタッチすることにより、上記指定された条件が操作表示制御部１４０を介して主制御部１１０によって取得されると共に、同じく操作表示制御部１４０を介してスキャンの実行命令が主制御部１１０に入力され、スキャンが実行される（Ｓ９０２）。スキャンが実行されて中綴じ原稿の画像情報が生成されると、画像形成装置１は、Ｓ９０２において取得した条件の情報及び画像情報を、中綴じ処理要求と共に画像処理サーバ３に送信する（Ｓ９０３）。即ち、画像形成装置１が、画像読み取り装置として機能する。
【００６３】
画像処理サーバ３は、画像形成装置１から中綴じ処理要求と共に情報を取得すると、取得した画像情報をページ毎に分割すると共に、取得した条件の情報に基づいてページ順序を判定する（Ｓ９０４）。ここで、本実施形態に係るページ分割処理について説明する。図１１は、雑誌等の中綴じ冊子を模式的に示す断面図である。図１１に示すように、雑誌等の中綴じ冊子は、綴じた状態においてページの端が揃うように、センターページ側と表紙／裏表紙側とで、用紙の幅が異なる。従って、ページを分割する際は、この用紙の幅の違いを考慮する必要がある。
【００６４】
図１２は、センターページと表紙／裏表紙ページとの幅のずれ量の例を示す図である。原稿をスキャンする際は、用紙サイズが指定される場合や自動的に用紙サイズが判断される場合があるが、いずれの場合においても、スキャンすべき用紙サイズに従ってスキャンが行われる。従って、中綴じ原稿がスキャンされる場合、センターページの画像には、図１２に斜線で示すような余分な領域（以降、余分領域とする）ができる。この余分領域が、センターページと表紙／裏表紙ページとの幅のずれ量である。尚、本実施形態においては、ＡＤＦ１０１の機能により、スキャンは用紙の先端部分から開始される。即ち、図１２の例においては、図中左側を先頭としてスキャンが実行された場合を示している。
【００６５】
本実施形態においては、図１０において説明したように、ユーザが条件指定画面において余分領域の幅を入力する。画像分割処理部３０２は、その情報に基づいて各ページの画像における余分領域を切り取った上で、画像を半分に分割する。即ち、図１０に示す余分領域幅の情報が、中綴じ冊子におけるページ毎の原稿幅の違いを示す原稿幅情報として用いられ、情報取得部３０１は、原稿幅情報取得部としても機能する。また、ページがセンターページ側から表紙／裏表紙ページ側に近付くにつれて、図１２に示す余分領域の幅は狭くなり、表紙／裏表紙側のページではゼロになる。
【００６６】
一般的なスキャナによるスキャンに際しては、ユーザによる指定若しくは装置による自動判別に基づいて読取サイズが判断され、一度のスキャンによって読み取られる画像のサイズは、Ａ４、Ｂ５等の規格上のサイズに統一される。従って、各ページにおいてページ幅が異なる中綴じ原稿をスキャンした場合、スキャンによって生成された画像の幅の中間が、スキャンによって生成された画像の中間となるとは限らない。そのため、各ページを分割する際には、各ページ毎の余分領域を考慮する必要がある。
【００６７】
本実施形態に係る画像分割処理部３０２は、ユーザによって入力された値からゼロまでの範囲で、ページ数に応じて比例計算した値を、そのページにおける余分領域の幅として用いる。換言すると、本実施形態に係る条件指定画面において、ユーザは、センターページと表紙／裏表紙ページとのページ幅の差を余分領域幅として入力する。そして、画像分割処理部３０２は、余分領域幅の値を、原稿の全ページにおけるページ数に応じた割合で変換して、夫々のページにおける余分領域の幅として用いる。このような処理により、各ページを分割する際の分割線が、各ページにおける中綴じ用の折り線と一致し、各ページを正確に分割することが可能となる。
【００６８】
尚、上記余分領域を考慮する他の方法としては、図１３に示すように、余分領域の幅の半分を切り取り、切り取った部分をページの先頭側に挿入する態様も考えられる。この場合、各ページにおける中綴じ用の折り線がページの中央に位置するため、各ページを半分に分割することにより、各ページを正確に分割することが可能となる。換言すると、図１３の態様において、画像分割処理部３０２は、余分領域幅の情報に基づいて画像の中間地点を修正している。
【００６９】
上述したように、各ページの余分領域を削除する場合、各ページの幅が夫々異なることになるが、図１３の態様の場合、各ページの幅を揃えることができる。他方、図１３の態様の場合、センターページ付近のページの両端には、余分領域が存在することになるが、綴じ部分のセンター部分は、ずれることなくきれいに揃うため、両端のノイズは気になりにくい。
【００７０】
また、上記余分領域を考慮する更に他の方法としては、スキャン画像から自動判別する方法も考えられる。この場合、画像分割処理部３０２は、センターページにおける画像端の濃度変化や色変化から用紙端を自動検出する。用紙幅のズレ量は、紙の厚さや綴じ具合、ページ数などによって変化があるが、おおよその範囲は決まっているため、その範囲で用紙端検出を行う。このおおよその範囲は、図１４に示すように、予め記憶しておくことにより実現可能である。
【００７１】
例えば、用紙端の検出対象範囲は、ページ数×紙厚さ（約０．０６〜０．２ｍｍ程度）＋αを最大とする。もしも、用紙が真っ白で、用紙端がうまく検出できない場合は、センターページ付近のページについて用紙端検出を行う。処理時間の関係と、表紙ページに近づくと用紙端検出の意味がなくなってくるので、通常は、検出できるまでセンターページの付近の数ページまで用紙端検出を行う。以上の処理で用紙端を検出できた場合は、その値を元に、上記処理と同様に画像の切り取り若しくは先頭側への余分領域の挿入等を行う。
【００７２】
より厳密に処理させる場合は、表紙ページまたは表紙の前後数ページまで検出範囲を広げて用紙端検出を行い、センターページにおける余分領域の幅と比較することが好ましい。
その比較の結果、余分領域の幅に差がなければ、上述したような余分領域の切り取り若しくは先頭側への挿入処理をキャンセルすると言った応用も可能である。
【００７３】
また、上記余分領域を考慮する更に他の方法としては、ユーザに、余分領域幅ではなく中綴じ冊子の厚さを入力させ、入力された中綴じ冊子の厚さの情報に基づき、表紙ページの全幅とセンターページの全幅との差を計算する方法が考えられる。図１１に示す冊子の構成を前提とすると、表紙ページの全幅Ｌｆと、センターページの全幅Ｌｃは、冊子の厚さを２ｒとした場合に、以下の式（１）の関係となる。
0005803063.tif 000002
【００７４】
即ち、センターページにおける余分領域の幅は式（１）の“πｒ”で示される。このような計算によって求められた余分領域の値に基づき、図１２若しくは図１３において説明した処理を行うことにより、上記と同様の効果を得ることができる。また、ユーザにとっては、余分領域の幅を測定するよりも、中綴じ冊子の厚さを測定する方が容易であることが考えられるため、好ましい。
【００７５】
このように、Ｓ９０４においては、画像分割処理部３０２がページ分割処理を実行する傍ら、ページ順判定部３０３が、ページ順を判定する。ページ順判定部３０３は、図１０に示すようにユーザによって入力された“綴じ方向”、“読取開始位置”、“全ページ数”及び“両面スキャン／片面スキャン”の設定値に基づき、図７（ａ）、（ｂ）や図８に示すような、分割されたページの並び順を判定する。
【００７６】
上記“綴じ方向”、“読取開始位置”、“全ページ数”及び“両面スキャン／片面スキャン”の設定値が判明すれば、ページ順判定部３０３は、画像分割処理部３０２によって分割された各ページの並び順を判断することができる。ここで、図７（ａ）、（ｂ）及び図８とは異なる設定値の例として、“片面スキャン”の場合及び読取開始位置を“表紙ページ”とした場合の各ページの並び替え態様について図１５（ａ）、（ｂ）及び図１６に示す。
【００７７】
図１５（ａ）、（ｂ）は、“片面スキャン”の場合の各ページの並び替え態様を示す図であり、図１５（ａ）は左綴じの場合を、図１５（ｂ）は右綴じの場合を夫々示している。また、図１６（ａ）、（ｂ）は、読取開始位置を“表紙ページ”とした場合における各ページの並び替え態様を示す図であり、図１６（ａ）は左綴じの場合を、図１６（ｂ）は右綴じの場合を夫々示している。ページ順判定部３０３は、図７（ａ）、（ｂ）、図８、図１５（ａ）、（ｂ）及び図１６（ａ）、（ｂ）の中央に示すように、画像分割処理部３０２によって分割される夫々のページが、どのようなページ順であるかを判断する。
【００７８】
Ｓ９０４の処理が完了すると、画像合成部３０４は、ページ順判定部３０３によって判断されたページ順に基づき、画像分割処理部３０２によって分割された夫々のページを順番に読み出して、見開きページを合成する（Ｓ９０５）。これにより、図７（ａ）、（ｂ）、図８、図１５（ａ）、（ｂ）及び図１６（ａ）、（ｂ）の右側に示すように、各ページが順番に並べられ、且つ見開きのページが合成された画像が生成される。
【００７９】
画像合成部３０４は、このようにしてページが並べ替えられて合成された画像を生成すると、生成した画像をネットワークＩ／Ｆ３１０を介して出力する（Ｓ９０６）。画像の出力先は、ユーザによる指示によって異なり、データサーバ４や画像形成装置１及びクライアント端末２等、ユーザによる指示に応じた格納先に画像情報が格納される。この他、生成された画像情報の印刷ジョブとして画像形成装置１に送信しても良い。
【００８０】
Ｓ９０６の処理が完了すると、画像合成部３０４は、必要に応じて画像形成装置１に処理が完了したことを通知し（Ｓ９０７）、処理を終了する。このような動作により、本実施形態に係る画像処理システムによる中綴じ冊子の読取処理が完了する。
【００８１】
以上説明したように、本実施形態に係る画像処理システムにおいては、画像形成装置１においてユーザによって入力された各種の条件を画像処理サーバ３が取得し、画像処理サーバ３がその条件に基づいて、処理対象として取得された画像の並べ替え順を判断する。そして、入力された画像を分割する際、表紙／裏表紙側とセンターページ側とのページ幅の違いにより生じる余分領域の幅を取得し、その余分領域の幅に基づいて画像の分割態様を判断する。このような処理により、中綴じ形式の冊子を解体してスキャンすることにより電子化する場合において、ページ毎にページ幅が異なる場合であっても、各ページのセンターラインにおける分割を好適に行うことができる。
【００８２】
尚、上記実施形態においては、条件指定画面において“全ページ数”を指定すると共に、ＡＤＦ１０１による自動原稿送り機能により、自動的に全ての原稿の画像を順番に取得する場合を例として説明した。この他、ユーザの操作に従って１ページずつ入力することも可能である。このような場合、中綴じ冊子のスキャンを開始すると、図１７に示すようなユーザインタフェースがディスプレイパネル１０４に表示される。ユーザは、中綴じ原稿のスキャンを開始すると、図１７に“次ページ読み取り”と示されている部分をタッチして１ページずつ順番にスキャンを実行させる。この際、ページを読み取らせる順番は、図１０の“両面スキャン／片面スキャン”及び“読取開始位置”において指定した設定値に従った順番である。
【００８３】
そして、全てのページのスキャンが完了すると、図１７に“読み取り終了”と示されている部分をユーザがタッチすることにより、画像形成装置１が画像処理サーバ１に対して、全ページの読み取りが完了したことを通知する。これにより、図９に示すＳ９０３以降の処理が実行される。このような態様により、図１０に示す各条件設定値のうち、“全ページ数”の項目を省略することが可能である。
【００８４】
尚、上記実施形態のように、ＡＤＦ１０１による自動原稿送り機能を用いる場合であっても、スキャンによって生成された画像の数に基づき、図１７の態様と同様に“全ページ数”を判断することが可能である。
【００８５】
また、図１７の“次ページ読み取り”の部分ではなく、“分割なし次ページ読み取り”と示されている部分をタッチしてページの読み取りを行うことにより、そのページについては、分割をしないように指定することも可能である。分割をしないページの例について、図１８に示す。雑誌等においては、図１８に示すように、複数ページ分の用紙を折り畳んで構成されたページがあり得る。このようなページの場合、上述したような画像分割及び合成の方法は使えない。また、綴じ部分以外の折りたたまれた部分は、そのまま見開きページとなり分割の必要がない場合もある。更には、図１８右側の例のように４ページ分を折りたたんだ場合に、左右両方のページを折りたたんだ状態で見開きの描画を行っている場合もあり得る。
【００８６】
このようなページに遭遇した場合は、図１７の“分割なし次ページ読み取り”の部分をタッチしてスキャンを実行させる。これにより、スキャンによって生成された画像情報にはフラグが付加される。画像処理サーバ３の画像分割処理部３０２は、上記フラグを参照し、フラグが付加されている頁については、画像の分割をキャンセルする。このように必要に応じて、ユーザがスキャンボタンを切り替えることで、折り曲げ収納ページがあるような冊子にも対応できる。
【００８７】
尚、図１８に示すような折り曲げ収納ページは、通常センターページに配置されている。図７（ａ）、（ｂ）等に示すように、センターページは元々分割の必要がないページであるため、このような態様においても、ページ順の入れ替えにおいて不具合とはならない。
【００８８】
また、上記実施形態においては、図９のＳ９０５及びＳ９０６に示すように、画像の合成が完了すると、そのまま出力先に対して画像を出力する場合を例として説明した。この他、画像の分割及び合成が正確に処理されているか否か、プレビューを行っても良い。これにより、ユーザによる条件の指定ミス、原稿のセット方向ミス等による処理結果の不整合を回避することができ、スキャンの二度手間を抑制することができる。
【００８９】
図１９は、画像形成装置１にディスプレイパネル１０４に表示されるプレビュー画面の例を示す図である。このようなプレビュー画面は、画像処理サーバ３が、画像形成装置１に対して画像の合成結果を送信することにより、表示可能である。この際、画像処理サーバ３は、合成により生成した画像そのものではなく、解像度を落としてサムネイル化した画像を送信することが好ましい。これにより、送受信に要する処理負荷や、ネットワーク負荷を低減することができる。
【００９０】
図１９に示すように、プレビュー画面には、各ページのサムネイル画像と共に、各種の指示部が設けられている。これらの指示部は、”綴じ方向”、”両面／片面”、”スキャン順序”夫々の切り替え指示部であり、操作ミスなどで期待の結果が得られない場合にこのプレビュー画面で訂正するためのインタフェースである。プレビュー画面では、このサムネイル画像のレイアウト表示順序を切り替えることにより、上述のボタンによりページソート・合成規則を切り替えた場合の応答をすばやく実行できる。
【００９１】
尚、この表示の切り替えを実現するためには、画像形成装置１のコントローラ１００において、ページ順序判定部３０３と同様の機能部が構成されていることが好ましい。これにより、ユーザからの指示に対して、ネットワークを介することなく、画像形成装置１内において処理を完了することが可能となる。この他、ユーザの操作に応じて、画像形成装置１が画像処理サーバ３に対して条件の変更命令を送信し、画像処理サーバ３が、再度ページの入れ替え処理を実行した上で再合成されたサムネイル画像を画像形成装置１に送信しても良い。
【００９２】
ユーザがプレビュー画面を確認し、“ＯＫ”と表示された部分をタッチすると、画像形成装置１が画像処理サーバ３に対して、分割・合成された画像の出力指示を通知する。これにより、画像処理サーバ３が、図９のＳ９０６のように、その時点における処理結果の画像を出力する。
【００９３】
また、上記実施形態においては、図１に示すように、画像形成装置１によるスキャンによって生成された画像を画像処理サーバ３において処理するシステムを例として説明した。この他、画像形成装置１におけるスキャンの一機能として、中綴じ処理部３００の機能を構成することも可能である。このような態様は、図４に示す中綴じ処理部３００に相当する機能を、画像形成装置１のコントローラ１００内に設けることにより可能である。このような態様においては、図１９に示すようなプレビューを表示する際において、ネットワークを介することなく装置内部でのやり取りが可能であるため、特に好ましい。
【符号の説明】
【００９４】
１  画像形成装置
２  クライアント端末
３  画像処理サーバ
４  データサーバ
５  公衆回線
１０  ＣＰＵ
２０  ＲＡＭ
３０  ＲＯＭ
４０  ＨＤＤ
５０  Ｉ／Ｆ
６０  ＬＣＤ
７０  操作部
８０  バス
１００  コントローラ
１０１  ＡＤＦ
１０２  スキャナユニット
１０３  排紙トレイ
１０４  ディスプレイパネル
１０５  給紙テーブル
１０６  プリントエンジン
１０７  排紙トレイ
１０８  ネットワークＩ／Ｆ
１１０  主制御部
１２０  エンジン制御部
１３０  画像処理部
１４０  操作表示制御部
１４１  条件指定部
１４２  スキャン方向指示部
１４３  スキャン開始指示部
１５０  入出力制御部
３００  コントローラ
３０１  情報取得部
３０２  画像分割処理部
３０３  ページ順判定部
３０４  画像合成部
３１０  ネットワークＩ／Ｆ
【先行技術文献】
【特許文献】
【００９５】
【特許文献１】特開２００７−１３７９９号公報
【図１】
0005803063.tif 000003
【図２】
0005803063.tif 000004
【図３】
0005803063.tif 000005
【図４】
0005803063.tif 000006
【図５】
0005803063.tif 000007
【図６】
0005803063.tif 000008
【図７】
0005803063.tif 000009
【図８】
0005803063.tif 000010
【図９】
0005803063.tif 000011
【図１０】
0005803063.tif 000012
【図１１】
0005803063.tif 000013
【図１２】
0005803063.tif 000014
【図１３】
0005803063.tif 000015
【図１４】
0005803063.tif 000016
【図１５】
0005803063.tif 000017
【図１６】
0005803063.tif 000018
【図１７】
0005803063.tif 000019
【図１８】
0005803063.tif 000020
【図１９】
0005803063.tif 000021